(57)【特許請求の範囲】
【請求項１】
パラフィン系溶剤を含む液体を収容する容器本体と、容器本体の口部に装着されたトリガースプレーヤーからなるトリガースプレー容器であって、容器本体からトリガースプレーヤー内の通液路に液体を供給するチューブの一端を保持するインテイク及び吐出ノズルがポリオキシメチレン（ＰＯＭ）から形成されていることを特徴とするトリガースプレー容器。
【請求項２】
パラフィン系溶剤が、液体中に１重量％以上含有される請求項１記載のトリガースプレー容器。
【請求項３】
チューブがインテイクから容器本体底部側に垂下し、その先端部に一部又は複数箇所を切除した切欠部が形成されていることを特徴とする請求項１記載のトリガースプレー容器。
【請求項４】
チューブの材料が、ポリプロピレン又はポリエチレンからなる請求項１〜３のいずれかに記載のトリガースプレー容器。
【請求項５】
チューブの一端がトリガースプレーヤーのインテイクに回動不能に保持され、かつ該チューブの他端の切欠面がトリガースプレーヤーの吐出ノズル側に向いている請求項３又は４記載のトリガースプレー容器。
【請求項６】
チューブが、その長さ方向の中間部でトリガースプレーヤーの吐出ノズル側に曲げ角度θ＝１３０〜１７０°で折り曲げられている請求項１〜５のいずれかに記載のトリガースプレー容器。
【請求項７】
少なくとも２層に分離する液体を収容する容器本体と、容器本体の口部に装着されたトリガースプレーヤーからなるトリガースプレー容器であって、トリガースプレーヤーの吐出ノズルと反対側の容器本体背面部の側面に、トリガースプレーヤー装着部近傍から容器底部にかけて帯状に透明又は半透明の窓部が形成されていることを特徴とするトリガースプレー容器。
【請求項８】
液体が、パラフィン系溶剤を含む油相と、活性剤を含有する水相とからなる請求項７載のトリガースプレー容器。
【請求項９】
パラフィン系溶剤が、液体中に１重量％以上含有される請求項８記載のトリガースプレー容器。
【請求項１０】
容器本体からトリガースプレーヤー内の通液路に液体を供給するチューブの一端がトリガースプレーヤーのインテイクに回動不能に保持され、容器本体底部側に垂下し、かつ該チューブの他端に先端部の一部又は複数箇所を切除した切欠部が形成され、切欠面がトリガースプレーヤーの吐出ノズル側に向いている請求項７〜９のいずれかに記載のトリガースプレー容器。
【請求項１１】
チューブが、その長さ方向の中間部でトリガースプレーヤーの吐出ノズル側に曲げ角度θ＝１３０〜１７０°で折り曲げられている請求項１０記載のトリガースプレー容器。
【請求項１２】
インテイク及び吐出ノズルがポリオキシメチレン（ＰＯＭ）から形成され、チューブがポリプロピレン又はポリエチレンから形成されている請求項１０又は１１記載のトリガースプレー容器。
【発明の詳細な説明】
【０００１】
【発明の属する技術分野】
本発明は、ポリプロピレン、ポリエチレン等のポリオレフィンを膨潤させる洗剤等の液体を噴霧するトリガースプレー容器であって、その使い始めから使い終わりまで常に正常な噴霧が行えるようにしたトリガースプレー容器に関する。
【０００２】
【従来の技術】
住居用、エクステリア用、車用等の液体洗剤、仕上げ剤等を噴霧する場合の容器としてトリガースプレー容器が使用されている。
【０００３】
トリガースプレー容器は、噴霧する液体を容器本体に収容し、その容器本体の口部にトリガースプレーヤーを装着させたものであり、トリガーの引き寄せとその解除を行うことによりピストン・シリンダー機構を作用させ、トリガースプレーヤーのインテイクに保持されたチューブを通して容器本体内の液体をトリガースプレーヤー内の通液路に吸引し、さらに吐出ノズルの吐出孔から噴霧するものである。
【０００４】
従来、このトリガースプレーヤーのチューブ、インテイク、通液路やピストン・シリンダー機構が内部に形成されているボディ、トリガー等の形成材料としては、ポリプロピレン等のポリオレフィンが使用されている。
【０００５】
また、トリガースプレー容器から液体を噴霧させるときには、一般にその容器を前傾させた状態がとられるので、容器を前傾させた状態で液体を最後まで使いきることができるように、容器本体には、その胴部の下方部を前方に膨出させた膨出部が設けられている。そしてこれに対応させて、容器本体内の液体を吸引するチューブの先端が、その容器本体の膨出部の底部側端部に位置するように、チューブをフレキシブルなもので形成したり、あるいはチューブをその長さ方向の中間部でトリガースプレーヤーの吐出ノズル側に折り曲げることがなされてる。
【０００６】
さらに、トリガースプレー容器に使用する容器本体は、その外観の意匠性の点から、容器本体内の内容液を外部から確認することができない不透明なプラスチック材料から形成されている。
【０００７】
【発明が解決しようとする課題】
しかしながら、上述の従来のトリガースプレー容器を、パラフィン系等の溶剤を含有し、ポリオレフィンに対する膨潤作用が大きい液体の噴霧に使用すると、インテイクが膨潤し、インテイクとボディとの嵌合強度が低下する。そのため、トリガーを強く引き寄せたり、外部から衝撃が加わったりすると、嵌合が外れ、噴霧不良が生じるという問題があった。
【０００８】
また、容器本体内から液体を吸引するチューブも膨潤し、チューブの一端が容器本体の内壁に密着してそのチューブ端部の開口面が容器本体の内壁で塞がれ、チューブから液体を吸引することができなくなるという問題もあった。
【０００９】
なお、ここで膨潤作用とは、ポリプロピレン、ポリエチレン等のポリオレフィンを液体中に浸漬した場合に、そのポリオレフィンの重量を増大させる作用をいう。
【００１０】
さらに、パラフィン系等の溶剤は活性剤を含有する水系成分と配合することにより良好な洗剤となるが、このような洗剤は、放置によりパラフィン系等の溶剤を含有する油相と活性成分を含有する水相とに相分離して２層となる。そこで、使用時には、これらを十分に分散混合させた状態で吐出することが必要となる。しかしながら、このような２層に分離する液体を、従来のトリガースプレー容器で使用すると、容器本体が、その内部の液体を外部から確認することができない不透明なプラスチック材料から形成されているので、液体を十分に分散混合させない状態で噴霧が行われやすく、そのために噴霧される液体が所期のものと異なり、目的とする効果を得られなくなるという問題もある。
【００１１】
本発明は以上のような従来技術の課題を解決しようとするものであり、第１に、パラフィン系等の溶剤を含有する液体のように、ポリオレフィンに膨潤作用を有する液体を噴霧液体とする場合でも、インテイクの膨潤が抑制され、常に正常に噴霧を行うことができるトリガースプレー容器を提供することを目的とする。
【００１２】
第２に、パラフィン系等の溶剤を含有する液体のように、ポリオレフィンに膨潤作用を有する液体を噴霧液体とし、チューブが膨潤した場合でも、常に正常に噴霧を行うことができるトリガースプレー容器を提供することを目的とする。
【００１３】
第３に、ポリオレフィンに膨潤作用を有する溶剤を含有する油相と活性剤を含む水相とからなる液体のように、噴霧液体が２層に分離するものであっても、常に分散混合後に液体の噴霧が行われるようにするトリガースプレー容器を提供することを目的とする。なおここで、活性剤とは、アニオン活性剤、ノニオン活性剤、両性活性剤またはカチオン活性剤をいう。
【００１４】
【課題を解決するための手段】
本発明者は、上記の目的を達成するため、第１に、パラフィン系溶剤を含む液体を収容する容器本体と、容器本体の口部に装着されたトリガースプレーヤーからなるトリガースプレー容器であって、容器本体からトリガースプレーヤー内の通液路に液体を供給するチューブの一端を保持するインテイク及び吐出ノズルがポリオキシメチレン（ＰＯＭ）から形成されていることを特徴とするトリガースプレー容器を提供する。
【００１６】
また、本発明は、第２に、ポリオレフィンに膨潤作用を有する溶剤を含む液体を収容する容器本体と、容器本体の口部に装着されたトリガースプレーヤーからなるトリガースプレー容器であって、容器本体からトリガースプレーヤー内の通液路に液体を供給するチューブが、その一端がトリガースプレーヤーのインテイクに保持され、容器本体底部側に垂下し、かつ該チューブの他端に一部又は複数箇所を切除した切欠部が形成されていることを特徴とするトリガースプレー容器を提供し、特に、このチューブがポリプロピレンまたはポリエチレンからなるものを提供する。
【００１７】
第３に、少なくとも２層に分離する液体を収容する容器本体と、容器本体の口部に装着されたトリガースプレーヤーからなるトリガースプレー容器であって、トリガースプレーヤーの吐出ノズルと反対側の容器本体背面部の側面に、トリガースプレーヤー装着部近傍から容器底部にかけて帯状に透明又は半透明の窓部が形成されていることを特徴とするトリガースプレー容器を提供する。
【００１８】
第１の本発明のトリガースプレー容器によれば、インテイクがポリオキシメチレン（ＰＯＭ）から形成されている。この材料は、従来インテイク材料として使用されていたポリオレフィン系材料に比してパラフィン系溶剤に対する膨潤性が著しく低い。したがって、第１の本発明によれば、パラフィン系溶剤を含有し、ポリオレフィンに膨潤作用を有する液体を容器本体に収容し、噴霧する場合でも、インテイクの嵌合低下による噴霧不良を防止することができる。
【００１９】
また、第２の本発明によれば、チューブのインテイクに保持されている端部と反対側の端部、即ち、容器本体底部側端部に切欠部が形成されているので、チューブが膨潤し、チューブの容器本体底部側端部が部分的に容器本体の内壁に付着しても、切欠面も含めてチューブ端部の開口面全体が容器本体の内壁で塞がれることはない。したがって、チューブを膨潤させる液体を容器本体に収容する場合でも、常に安定的にチューブから液体を吸引することが可能となる。
【００２０】
第３の本発明によれば、容器本体側面に、該容器本体の高さ方向に延びた透明又は半透明の窓部が形成されているので、トリガースプレー容器の使用時に、容器本体内の液体の相分離あるいは分散状態が一目でわかる。したがって、パラフィン系溶剤等のポリオレフィンに膨潤作用を有する溶剤を含む油相と、活性剤を含む水相とからなる液体洗剤であって、放置により容易に相分離して２層となるが、噴霧時にはこれら２層を分散混合状態にすることが望まれる液体を容器本体に収容した場合に、噴霧時にこの液体が相分離していても、その状態は、このトリガースプレー容器の使用者に即座に認識されるので、容器を振とうさせて液体を分散混合状態にすることが動機づけられる。また、この窓部は容器本体の側面の一部に形成すればよいため、この窓部によってトリガースプレー容器の外観の意匠が大きく損なわれることはない。
【００２１】
【発明の実施の形態】
以下、本発明の好ましい実施の形態を図面に基づいて具体的に説明する。
【００２２】
図２は、トリガースプレーヤー２０を容器本体１０に装着した本発明の一実施例のトリガースプレー容器１の側面図（同図ａ）及び背面図（同図ｂ）であり、図１は、図２のトリガースプレー容器１に装着したトリガースプレーヤー２０の断面図である。
【００２３】
図示したように、このトリガースプレー容器１は、容器本体１０とその口部１１に装着されたトリガースプレーヤー２０からなっており、このトリガースプレーヤー２０は、容器本体の口部１１に螺合するキャップ１２で押さえられることにより固定されている。
【００２４】
この容器本体１０には、その胴部の下方部に、前方に膨出した膨出部１０ａが形成されており、このトリガースプレー容器１を前方に傾けて使用する場合に、液体を最後まで使いきれるようにしている。
【００２５】
また、トリガースプレーヤー２０の吐出ノズル２６と反対側の容器本体１０の側面、即ち、容器本体１０の背面部の側面１０ｂに、本発明に特徴的な窓１３が、トリガースプレーヤー２０の装着部近傍から容器本体底部１０ｃにかけて帯状に形成されている。この窓１３は、容器本体１０内の液体の状態を外部から確認できるように、透明又は半透明材料から形成され、より具体的には、例えば、ポリエチレン、ポリプロピレン等から形成される。
【００２６】
したがって、この容器本体１０によると、パラフィン系溶剤を１重量％以上含有し、ポリオレフィンに対して膨潤作用を有する溶剤からなる油相と、活性剤を含有する水相とからなる洗剤のように、放置により容易に相分離する液体を収容した場合に、その相分離状態あるいは分散状態が窓１３を通して即座に認識されるものとなる。
【００２７】
一方、トリガースプレーヤー２０は、そのボディ２１内部に垂直通液路２２と水平通液液路２３を有し、ボディ２１には回動自在にトリガー２４が取り付けられている。水平通液路２３の先端には、スピンエレメント２５が装着され、スピンエレメント２５の先端部には、吐出ノズル２６が装着され、この吐出ノズル２６に吐出孔２７が形成されている。
【００２８】
また、ボディ２１内には、トリガー２４によって作動するピストン・シリンダー機構３０が形成されている。このピストン・シリンダー機構３０は、筒状のシリンダー３１と、トリガー２４の矢印方向Ａの引き寄せに連動してシリンダー３１内に深く挿入され、シリンダー３１内に装着されているスプリング３３により弾性反発されるピストン３２からなっている。また、シリンダー３１の下方には外気導入孔３４が形成されており、トリガー２４の引き寄せ操作によりピストン３２がシリンダー３１内に深く挿入され、ピストン３２のシリンダー３１に対する摺動部３２ａがこの外気導入孔３４を超えると、外気導入孔３４及び後述するインテイク４０に形成された外気導入孔４１を通して外気が容器本体１０に導入される。したがって、この容器本体１０の内部は、液体の吐出後も減圧状態になることが防止される。
【００２９】
一方、ボディ２１下部には、インテイク４０が嵌合されている。図１に、このインテイク４０の断面を、ハッチングをかけて示す。同図のように、インテイク４０は、その上部が前述の垂直通液路２２を形成する筒状体４２となっており、この筒状体４２には、ボディ２１に形成された水平通液路２３に連通する連通孔４３と、シリンダー３１内部に連通する連通孔４４が形成されている。また、インテイク４０の下部は、トリガースプレーヤー２０を容器本体１０の口部１１に装着したときに該口部１１に密嵌する嵌着部４５と、垂直通液路２２に連通しかつチューブ５０の上端が嵌入され、チューブ５０を回動不能に保持するチューブ嵌入部４６からなっている。また、嵌着部４５の天板部には外気導入孔４１が形成されている。
【００３０】
インテイク４０上部の筒状体４２内には、バルブ６０が設けられている。このバルブ６０は、そのフランジ部６１が筒状体４２の内壁に形成された支持壁部６２で支持されており、フランジ部６１の上部には二連空洞部６３が設けられており、それにより、水平通液路２３からの液体の逆流を防ぐとともに、支持壁部６２の下方の液圧が所定の圧力以上に高まったときに垂直通液路２２と水平通液路２３とを連通させ、水平通液路２３に液体が供給されるようにしている。
【００３１】
また、インテイク４０の筒状体４２内のバルブ６０より下方には、ボール弁体７０が設けられている。このボール弁体７０も、筒状体４２の内壁に形成された支持壁部７１で支持されており、シリンダー３１からの液体の逆流を防ぐとともに、支持壁部７１の下方の液圧が所定の圧力以上に高まったときに、液体がチューブ５０から垂直通液路２２の上部へ供給されるようにする。
【００３２】
このトリガースプレー容器１では、かかるインテイク４０が、ポリオレフィンに膨潤作用を有する溶剤を含む液体に５０℃で３０日間浸漬した場合の浸漬前と浸漬後の重量変化が１％以下となる材料から形成されていることも特徴としている。これにより、ポリオレフィン系材料を５０℃で３０日間浸漬した場合の浸漬前と浸漬後の重量変化が１％超となる膨潤作用を有する液体、例えば、Ｃ６〜Ｃ１８程度、特にＣ８〜Ｃ１４のパラフィン系溶剤を１重量％以上含有する液体をこのトリガースプレー容器で噴霧する場合でも、インテイク４０に対する液体の膨潤作用を抑制し、インテイク４０のボディ２１に対する嵌合強度の低下を防止することができる。
【００３３】
即ち、このようなパラフィン系溶剤を含む液体は、インテイク４０の構成材料として従来使用されていたポリプロピレンを５０℃で３０日間浸漬した場合、その浸漬前と浸漬後の重量変化が多くの場合１％を超え、通常５％以上となる膨潤作用を有する。そのためこのような液体を噴霧液体とすると、前述のようにインテイク４０のボディ２１に対する嵌合強度の低下が問題となる。これに対し、本発明では、同様の液体に５０℃で３０日間浸漬した場合の浸漬前と浸漬後の重量変化が１％以下となる材料を使用する。したがって、インテイクの膨潤を抑制し、嵌合不良を防止することができる。
【００３４】
ここで、ポリオレフィンに膨潤作用を有する溶剤には、当該作用を有する限り種々の溶剤が広く包含されるが、典型的には、パラフィン、イソパラフィン、特に、デカン、ウンデカン、ドデカン、トリデカン、テトラデカン等のＣ６〜Ｃ１８程度、特にＣ８〜Ｃ１４のパラフィン系溶剤をあげることができる。
【００３５】
また、このような溶剤を含む液体に対して膨潤性が低い材料としては、より具体的には、ポリオキシメチレン（ＰＯＭ）等のポリアセタール系材料や、ポリブチレンテレフタレート（ＰＢＴ）、ポリエチレンテレフタレート（ＰＥＴ）、ポリカーボネート（ＰＣ）、ポリビニルクロライド（ＰＶＣ）、ポリスチレン（ＰＳ）等をあげることができる。特に、ポリオキシメチレン（ＰＯＭ）等のポリアセタール系材料が好ましい。
【００３６】
このトリガースプレー容器１においては、インテイク４０にチューブ５０が回動不能に保持され、このチューブ５０は容器本体底部１０ｃ側に垂下しているが、このチューブ５０の容器本体底部１０ｃ側端部には切欠部５１が形成され、その切欠面５２がトリガースプレーヤー２０の吐出ノズル２６側に向いていることも特徴となっている（図２（ａ）参照）。図３（ａ）にチューブ５０の端部の拡大側面図を示す。同図のように、この切欠部の切欠形状は、略矩形でその角を丸めた態様５１ａとなっている。
【００３７】
このようにチューブ５０の端部に切欠部５１が形成されていることにより、チューブ５０が液体により膨潤し、その端部が容器本体内壁に付着したとしても、チューブ５０の端部の切欠面５２までが容器本体内壁で完全に塞がれることはない。したがって、このチューブ５０によれば、液体の膨潤作用の大小を問わず、常時、液体をチューブ５０で吸引することが可能となる。特に、ポリプロピレンを５０℃で３０日間浸漬した場合の浸漬前と浸漬後との重量変化が１％超となる膨潤作用を有する液体をこのトリガースプレー容器で噴霧する場合でも、常時、液体をチューブ５０で吸引することが可能となる。
【００３８】
そこで、チューブ５０の形成材料としては、このトリガースプレー容器１で噴霧する液体が、従来よりチューブ形成材料として用いられているポリプロピレン、ポリエチレン等のポリオレフィンに対して膨潤作用を有する場合でも、これらプロピレン、ポリエチレン等のポリオレフィンを、取り扱い性その他の点から好ましく使用することができる。これらチューブ５０の形成材料としてポリプロピレン、ポリエチレン等のポリオレフィンを使用することによりチューブ５０が膨潤しても、上述のように吸引不良の問題が生じることはない。
【００３９】
また、このチューブ５０は、その長さ方向の中間部でトリガースプレーヤー２０の吐出ノズル２６側に曲げ角度θで折り曲げられている。ここで、曲げ角度θの大きさとしては、１３０〜１７０°とすることが好ましい。このように曲げ角度θを１７０°以下とすることにより、トリガースプレー容器１を前傾させて使用する場合に、チューブ５０から吸引されずに容器本体内に残存する液量を低減させることができる。また、曲げ角度θを１３０°以上とすることにより、チューブ５０を曲げる位置でチューブがつぶれ、吸引不良が生じることを防止できる。なお、このようにチューブ５０を曲げて成形するためにも、チューブ５０の形成材料としては、上述のようにポリプロピレン、ポリエチレン等のポリオレフィン、特にポリプロピレンを使用することが好ましい。
【００４０】
また、このトリガースプレー容器１においては、チューブ５０がインテイク４０に回動不能に保持されているが、これにより液体の補充などのために一旦容器本体１０からトリガースプレーヤー２０をはずし、再度容器本体１０にトリガースプレーヤー２０を装着した場合でも、チューブ５０の先端部の位置を、常に、容器本体内の液体を最も吸引しやすい位置に置くことが可能となる。したがって、これによっても容器本体１０内で液体の残量が残りわずかになっても、最後までチューブ５０から液体を吸引することが容易となる。
【００４１】
このトリガースプレー容器１の使用方法は、従来のトリガースプレー容器と同様とすることができる。例えば、液体を容器本体１０に充填し、トリガースプレーヤー２０を装着し、次いでこのトリガースプレー容器１を片手でもち、所望の角度に傾斜させ、トリガー２４の引き寄せ操作とその解除を繰り返し行うことによりピストン・シリンダー機構３０を作用させ、これにより容器本体１０内の液体をチューブ５０を用いて吸引し、さらに垂直通液路２２及び水平通液路２３に導き、吐出孔２７から噴霧させる。
【００４２】
この場合、噴霧する液体は、パラフィン系溶剤等のポリオレフィンに膨潤作用を有する溶剤を含む液体とすることができ、さらに噴霧する液体の用途に応じて種々の成分を添加したものとすることができる。特に、パラフィン系溶剤を１重量％以上含有し、ポリオレフィンに対して膨潤作用を有する溶剤からなる油相と、活性剤を含有する水相とからなる洗剤のように、放置により容易に相分離する液体を好ましい噴霧液体としてあげることができる。
【００４３】
また、この液体に含有させる活性剤の種類には、特に制限はなく、アニオン活性剤、ノニオン活性剤、両性活性剤またはカチオン活性剤を、これと共に使用する溶剤の種類、噴霧する当該液体の用途等に応じて適宜選択することができ、例えば、上述の洗剤に使用する活性剤としては、ノニオン活性剤である、ポリオキシエチレンアルキルエーテル（Ｃ12〜Ｃ18）、アルキルポリグリコシド、脂肪酸エタノールアミド等をあげることができる。
【００４４】
さらに、液体には、シリコーン等の液体成分や、シリコーンパウダー等のフィラー成分、その他、種々の添加剤を含めることができる。
【００４５】
以上、図１及び図２に示したトリガースプレー容器１に基づいて本発明を説明したが、この他本発明は種々の態様をとることができる。例えば、容器本体１０の側面に形成する透明又は半透明の窓部１３は、その形成位置が容器本体の背面部の側面１０ｂに限られることはなく、容器本体１０の正面部、側面部等としてもよい。また、窓部１３の形状や大きさも図示した態様に限らず、液体の相分離の状態を外部から観察できるかぎり任意の形状、大きさとすることができる。
【００４６】
チューブ５０の先端部の切欠部５１の形状も図示した態様に限らず、例えば、図３に示した切欠部５１ｂ〜５１ｅのように、先端部全体あるいは先端部の一部にテーパーカットをつけたり（同図（ｂ）切欠部５１ｂ、同図（ｃ）切欠部５１ｃ）、先端部の複数箇所を三角形、矩形あるいは円形に切除したり（同図（ｄ）切欠部５１ｄ）、先端部の一部を矩形に切除してもよい（同図（ｅ）切欠部５１ｅ）。
【００４７】
また、図１及び図２に示したトリガースプレー容器１では、インテイク４０を、パラフィン系溶剤等のポリオレフィンに膨潤作用を有する溶剤に対して耐膨潤性を有するポリオキシメチレン（ＰＯＭ）等の材料から形成するとしたが、必要に応じて、インテイク４０以外の構成部材もこれらの材料から形成することができる。例えば、高い嵌合精度が必要とされる吐出ノズル２６もポリオキシメチレン（ＰＯＭ）等の材料から構成することができる。
【００４８】
さらに、液体には前述のようにフィラー成分も含めることができるが、この場合でもピストン・シリンダー機構３０が良好に作動するように、ピストン３２とシリンダー内筒２８との嵌合代をなくし、ピストン３２とシリンダー内筒２８との間に間隙を設けてもよい。
【００４９】
また、吐出孔２７から噴霧する液体粒子の大きさや吐出速度を調整するため、吐出孔２７の外側にガイド筒を設け、このガイド筒の内側の表面に適宜溝を設け、ここに吐出孔２７から噴霧された液体粒子があたるようにしてもよい。これにより、吐出孔２７から噴霧された液体粒子をはね返し、粒子速度を低減させ、粒子同士を混和して粒子径を成長させ、吐出速度を低下させることが可能となる。
【００５０】
【実施例】
以下、本発明を実施例に基づいてより具体的に説明する。
【００５１】
実施例１及び比較例１
図１に示すように、容器本体１０とその口部１１に装着されたトリガースプレーヤー２０からなるトリガースプレー容器１を作製した。このトリガースプレー容器１では、トリガースプレーヤー２０が、容器本体の口部１１に螺合するキャップ１２で押さえられることにより固定されるようにした。また、トリガースプレーヤー２０の吐出ノズル２６と反対側の容器本体１０の側面、即ち、容器本体１０の背面部の側面１０ｂに、窓１３を、トリガースプレーヤー２０の装着部近傍から容器本体底部１０ｃにかけて帯状に形成した。
【００５２】
ここで、インテイク４０は、ポリオレフィンに膨潤作用を有する溶剤を含む液体に５０℃で３０日間浸漬した場合の浸漬前と浸漬後の重量変化が１％以下となる材料として、ポリオキシメチレン（ＰＯＭ）から形成した。
【００５３】
また、チューブ５０はポリプロピレンから形成した。この場合、チューブ５０の容器本体底部１０ｃ側端部には、図３（ｃ）に示す切欠部５１ｃを形成し、かつその切欠面５２が図２に示すように、トリガースプレーヤー２０の吐出ノズル２６側に向くようにした。さらに、チューブ５０は、その長さ方向の中間部でトリガースプレーヤー２０の吐出ノズル２６側に曲げ角度θが約１４０度となるように成形した（実施例１）。
【００５４】
また、インテイク４０をポリオレフィンから形成し、さらに、チューブ５０の容器本体底部１０ｃ側端部に切欠部を設けない以外は、上記実施例１と同様のトリガースプレー容器を作製した（比較例１）。
【００５５】
実施例１及び比較例１のトリガースプレー容器１の容器本体１０に、それぞれ表１に示す配合組成の液体を充填し、充填当初、２ヶ月後及び３ヶ月後に噴霧試験を行った。
【００５６】
その結果、実施例１のトリガースプレー容器１では、液体の充填後３ヶ月経過しても良好に液体を噴霧することができたが、比較例１のトリガースプレー容器では、液体の充填当初は良好に噴霧することができたが、液体の充填２ヶ月後には噴霧不良をきたした。
【００５７】
【表１】
0003760562.tif 000002
【００５８】
【発明の効果】
第１の本発明のトリガースプレー容器によれば、パラフィン系溶剤を含有する液体のように、ポリオレフィンに膨潤作用を有する液体を噴霧する場合でも、インテイクの膨潤が抑制され、常に正常に噴霧を行うことができる。
【００５９】
また、第２の本発明のトリガースプレー容器によれば、チューブが液体により膨潤しても、チューブの先端部が容器本体内壁で塞がれることはなく、チューブから常に溶液の吸引を行うことが可能となる。
【００６０】
さらに第３の本発明によれば、ポリオレフィンに膨潤作用を有する溶剤を含む油相と活性剤を含む水相とからなる液体洗剤のように、液体が２層に相分離するものであっても、常に２層が分散混合状態であるときに噴霧が行われるよう、当該トリガースプレー容器の使用者に、トリガースプレー容器の使用前の振とう動作を動機づけることが可能となる。
【図面の簡単な説明】
【図１】本発明のトリガースプレー容器に使用するトリガースプレーヤーの断面図である。
【図２】本発明のトリガースプレー容器の側面図（同図ａ）及び背面図（同図ｂ）である。
【図３】チューブ先端部の切欠部の態様例を示す側面図である（同図ａ〜ｅ）。
【符号の説明】
１    トリガースプレー容器
１０    容器本体
１０ａ  容器本体の膨出部
１０ｂ  容器本体の背面部の側面
１０ｃ  容器本体底部
１１    口部
１２    キャップ
１３    窓
２０    トリガースプレーヤー
２６    吐出ノズル
４０    インテイク
５０    チューブ
５１      切欠部
【図１】
0003760562.tif 000003
【図２】
0003760562.tif 000004
【図３】
0003760562.tif 000005